(57)【要約】【課題】平面視が非点対称な形状の押圧操作部を採用してもスカート部の厚さを変えることなく所望のクリック感を得ることができるとともに、押圧操作部の斜め押しを防止することができるキーシート及び押釦スイッチを提供すること。【解決手段】押圧操作部２と、押圧操作部２の下部に連続し押圧操作部２を弾性的に支持するゴム状弾性体でなるスカート部４とを備えるキーシート１について、押圧操作部２は平面視が非点対称形状または鋭角な角部を有する形状である上側本体部２１と平面視が点対称形状（鋭角な角部を有する形状を除く）である下側本体部２２とを有することを特徴とする。【選択図】図１
2017212115.tif 000002
【特許請求の範囲】
【請求項１】
押圧操作部と、
前記押圧操作部の下部に連続し前記押圧操作部を弾性的に支持するゴム状弾性体でなるスカート部と
を備えるキーシートにおいて、
前記押圧操作部は平面視が非点対称形状または鋭角な角部を有する形状である上側本体部と平面視が点対称形状（鋭角な角部を有する形状を除く）である下側本体部とを有することを特徴とするキーシート。
【請求項２】
前記スカート部は平面視が点対称形状（鋭角な角部を有する形状を除く）である請求項１記載のキーシート。
【請求項３】
前記スカート部は全周に亘り同じ厚さである請求項１又は２記載のキーシート。
【請求項４】
前記スカート部は平面視において角部を有し、前記角部は平面視において丸みを帯びた形状である請求項１〜３何れか１項記載のキーシート。
【請求項５】
前記上側本体部と前記下側本体部とが平面で連続する連続部を有する請求項１〜４何れか１項記載のキーシート。
【請求項６】
押圧操作部、前記押圧操作部の下部に連続し前記押圧操作部を弾性的に支持するゴム状弾性体でなるスカート部及び前記押圧操作部の裏側に設けられた可動接点を有するキーシートと、
前記キーシートが載置され、前記押圧操作部が前記スカート部の弾性支持力に抗して押下されたときに前記可動接点と接する回路接点を有する回路基板と
を備え、
前記押圧操作部は平面視が非点対称形状または鋭角な角部を有する形状である上側本体部と平面視が点対称形状（鋭角な角部を有する形状を除く）である下側本体部とを有する押釦スイッチ。
【発明の詳細な説明】
【技術分野】
【０００１】
本発明は、家庭用、車載用、携帯用等の電気機器に組み込まれる入力操作用のキーシート及び押釦スイッチに関するものである。
【背景技術】
【０００２】
家庭用、車載用等の電子機器に組み込まれる押釦スイッチには、回路基板上にキーシートを載置し、回路基板の回路接点とキーシートの可動接点との接触によりスイッチ入力が行われるものがある。
【０００３】
従来の押釦スイッチの一例を図７及び図８に示す。押釦スイッチ１００は、弾性部材よりなるキーシート１０と、キーシート１０が載置される回路基板８とを備えて構成されている。
【０００４】
キーシート１０は、入力の際に押下される平面視が矩形の押圧操作部２０と、押圧操作部２０の下部に連続して形成され押圧操作部２０を浮動支持する環状のスカート部４０と、スカート部４０の下部に連続して設けられスカート部４０を支持する平板状のベース部５０と、押圧操作部２０の裏面側に導電性を有する金属よりなる可動接点６０を有している。
【０００５】
回路基板８は、押圧操作部２０がスカート部４０の弾性支持力に抗して押下されたときに可動接点６０と接する回路接点８０を有する。
【０００６】
こうした構成を備える押釦スイッチ１００は、機器に取り付けられる際には機器の筐体９０に設けられた開口９０ａから押圧操作部２０が外部に露出するようにして取り付けられ、押圧操作部２０の上面が操作面２０１として外部に露出した状態となる。
【０００７】
そして操作面２０１が押下されると、押圧操作部２０の裏面側の可動接点６０が回路基板７０上の回路接点８０と接触してスイッチのオン又はオフが行われる。
【０００８】
押釦スイッチ１００の押圧操作部２０の押下時には、スカート部４０が座屈することで操作者の指にクリック感が伝わり、操作感を得ることができるようになっている。
【０００９】
ところで、押圧操作部の形状は図７及び図８に示したような矩形等の平面視が点対称な図形だけではなく、非点対称な種々の形状が採用されている。
【００１０】
例えば特許文献１には、平面視がＬ字形状をした押圧操作部が開示されている。この非点対称な形状の押圧操作部には、同様に平面視がＬ字形状をしたスカート部が連続して設けられている。また、図９に示すように、キーシート１０が平面視で鋭角な角部のある押圧操作部２０を備える場合も考えられる。このように平面視が三角形状の押圧操作部２０とした場合には、スカート部４０も三角形状となりうる。
【００１１】
こうした非点対称なスカート部や、平面視で鋭角な角部のあるスカート部を有する押釦スイッチでは、スカート部の周方向における部位により座屈のし易さに差が生じてしまい、所望のクリック感を得ることが難しい。
【００１２】
そこで特許文献１に記載されている押釦スイッチでは、スカート部の部位に応じて厚みを変えて座屈のし易さを統一し所望のクリック感が得られるようにしている。
【先行技術文献】
【特許文献】
【００１３】
【特許文献１】特開２００３−０３１０６９号公報
【発明の概要】
【発明が解決しようとする課題】
【００１４】
しかし、平面視が非点対称であったり鋭角な角部があったりする押圧操作部を有する押釦スイッチについてスカート部の厚みを部位に応じて変えることで所望のクリック感を得られるようにする態様では、スカート部の厚みの薄い部分は耐久性が低くなり破断が生じ易くなってしまうという問題がある。
【００１５】
一方で、スカート部の厚みを部位に応じて変えない場合にはスカート部の部位毎に座屈のし易さに差が生じてしまうため押圧操作部を垂直に押し込みづらくなり、押圧操作部が斜めに押下される所謂斜め押しが生じ易くなる。そのため、例えば基板の回路接点が複数あり可動接点が全ての回路接点と接触する必要がある場合に斜め押しが発生すると接触不良が生じる場合がある。また、斜め押しが生じると押し込まれた押圧操作部が筐体内の他の構成に接触し、そのまま係止してしまい、当初位置に戻らないという問題も生じる場合がある。
【００１６】
そこで平面視が非点対称な形状、または鋭角な角部を有する押圧操作部を採用した場合でもスカート部の厚みを全周に亘り均一にすることができ、座屈のし易さを統一することで所望のクリック感を得られるとともに押圧操作部の斜め押しを防止することのできるキーシート及び押釦スイッチがあれば望ましい。
【００１７】
本発明は上述した課題に鑑みてなされたものであり、平面視が非点対称な形状の押圧操作部を採用してもスカート部の厚さを変えることなく所望のクリック感を得ることができるとともに、押圧操作部の斜め押しを防止することができるキーシート及び押釦スイッチを提供することを目的とする。
【課題を解決するための手段】
【００１８】
本発明は、押圧操作部と、前記押圧操作部の下部に連続し前記押圧操作部を弾性的に支持するゴム状弾性体でなるスカート部とを備えるキーシートについて、前記押圧操作部は平面視が非点対称形状または鋭角な角部を有する形状である上側本体部と平面視が点対称形状（鋭角な角部を有する形状を除く）である下側本体部とを有することを特徴とする。
【００１９】
従来は押圧操作部の上部形状と下部形状が同一であったため、押圧操作部の上部形状を非点対称形状または鋭角な角部を有する形状とすると下部形状も非点対称形状または鋭角な角部を有する形状となっていた。そのため押圧操作部の下部に連続するスカート部の形状も平面視で非点対称形状または鋭角な角部を有する形状とならざるを得ず、座屈のし易さを部位毎に調節すべく、スカート部の厚さを部位に応じて変える必要があった。
【００２０】
しかし本発明については押圧操作部を筐体外部に露出する上側本体部と筐体内部に収容される下側本体部に分けて構成しているため、筐体外部に露出する上側本体部については多様な形状を採用しつつ、筐体内部の下側本体部においては点対称形状（鋭角な角部を有する形状を除く）とすることができる。そのため押圧操作部の上部形状に関わらず、スカート部の形状については非点対称な形状または鋭角な角部を有する形状となることがなく、スカート部の厚さを部位に応じて変えなくとも所望のクリック感を得ることができる。
【００２１】
前記発明については、スカート部を平面視で点対称形状（鋭角な角部を有する形状を除く）とすることができる。
【００２２】
スカート部が平面視で鋭角な角部を有する形状を除く点対称形状であることにより、スカート部の平面視における形状に起因してスカート部の座屈のし易さが不均一になることを防止し、押圧操作部の斜め押しを効果的に防止することができる。
【００２３】
前記発明については、スカート部は全周に亘り一定の厚さとすることができる。
【００２４】
スカート部の厚さが全周に亘り一定の厚さであることにより、厚みが薄く耐久性が低い箇所が形成されず、スカート部の全体に亘り均一な耐久性を付与することができる。
【００２５】
前記発明については、スカート部は平面視において角部を有し、角部は平面視において丸みを帯びた態様とすることができる。
【００２６】
スカート部に平面視において角部分がある場合でも、当該角部分が丸みを帯びた態様であることにより、角部分が角張っている場合と比較してスカート部が座屈しやすくなるため、押圧操作部の押下をスムーズに行うことができる。
【００２７】
前記発明については、上側本体部と下側本体部とが平面で連続する連続部を有する態様とすることができる。
【００２８】
上側本体部と下側本体部とが平面で連続する連続部を有することで、上側本体部を形成するのに必要な下側本体部の上面の面積を削減することができ、下側本体部上の限られたスペースにおいて上側本体部を大きく形成することができる。
【００２９】
本発明はまた、押圧操作部、押圧操作部の下部に連続し押圧操作部を弾性的に支持するゴム状弾性体でなるスカート部及び押圧操作部の裏側に設けられた可動接点を有するキーシートと、キーシートが載置され、押圧操作部がスカート部の弾性支持力に抗して押下されたときに可動接点と接する回路接点を有する回路基板とを備え、押圧操作部は平面視が非点対称形状または鋭角な角部を有する形状である上側本体部と平面視が点対称形状（鋭角な角部を有する形状を除く）である下側本体部とを有する押釦スイッチを提供する。
【００３０】
スカート部が平面視で鋭角な角部を有する形状を除く点対称形状に形成されていることで、押圧操作部を平面視で非点対称な形状または鋭角な角部を有する形状とした場合でもスカート部の厚さを部位に応じて変える必要が無い。そのためスカート部の部位に応じて座屈のし易さにむらが生じることがなく、座屈のし易さをスカート部の全周に亘り均一にすることができる。これにより押圧操作部の斜め押しを防止することができ、可動接点と回路接点との接触不良を防止することができる。また、斜め押しが防止されることで、押下された押圧操作部が機器の筐体内に係止してしまい当初位置に戻らないという問題の発生も防止することができる。
【発明の効果】
【００３１】
本発明のキーシート及び押釦スイッチによると、様々な形状の押圧操作部を採用してもスカート部の厚さを部位により変える必要が無く、スカート部の座屈のし易さを全周に亘り均一にすることができる。そして、任意の押圧操作部の形状を採用しつつ所望のクリック感を得ることができ、更に斜め押しによる接触不良や、押圧操作部が当初位置に戻らない等といった問題の発生を効果的に防止することができる。これにより多様な形状の押圧操作部を簡易な構成を用いて採用することができ、押釦スイッチが適用される機器のデザインをより多彩なものとすることができる。
【図面の簡単な説明】
【００３２】
【図１】本発明の一実施形態によるキーシートの斜視図。
【図２】図１のキーシートの平面図。
【図３】図１のキーシートを備える押釦スイッチを示す断面図であり、分図（Ａ）は押圧操作部の押下前の状態を示す動作説明図、分図（Ｂ）は押圧操作部の押下後の状態を示す動作説明図。
【図４】本発明の変形例によるキーシートの平面図であり、分図（Ａ）は第１変形例を示す平面図、分図（Ｂ）は第２変形例を示す平面図、分図（Ｃ）は第３変形例を示す平面図。
【図５】本発明の変形例によるキーシートの平面図であり、分図（Ａ）は第４変形例を示す平面図、分図（Ｂ）は第５変形例を示す平面図。
【図６】本発明の第６変形例によるキーシートの斜視図。
【図７】一従来例によるキーシートの斜視図。
【図８】図７のキーシートを備える押釦スイッチを示す断面図であり、分図（Ａ）は押圧操作部の押下前の状態を示す動作説明図、分図（Ｂ）は押圧操作部の押下後の状態を示す動作説明図。
【図９】他の従来例によるキーシートの斜視図及び平面図であり、分図（Ａ）は斜視図、分図（Ｂ）は平面図。
【発明を実施するための形態】
【００３３】
以下、本発明の実施形態に係る押釦スイッチ及びこれに用いられるキーシートについて図面を参照しつつ説明する。
【００３４】
押釦スイッチ［図１〜図３］
押釦スイッチ１１は、キーシート１と、キーシート１が載置される回路基板７を備えて構成されている。押釦スイッチ１１は、家庭用、車載用、携帯用等の電気機器に組み込まれ、入力操作の用に供するものである。
【００３５】
押釦スイッチ１１が電気機器に組み込まれる際には、押釦スイッチ１１は電気機器の筐体９内に設けられるとともに、筐体９の開口９ａから押圧操作部２が外部に露出するようにして取り付けられている。図１及び図２においては１つの押圧操作部２のみが示されているが、本発明においてはこれに限らずキーシート１が複数の押圧操作部２を有する態様であってもよい。
【００３６】
押圧操作部２を押下しきった状態、すなわち押圧操作部２の裏面の可動接点６と回路基板７上の回路接点８とが当接した状態においても押圧操作部２の上端部は開口９ａから外部に突出し、開口９ａ内に陥入しきらない状態となっている。
【００３７】
筐体９の開口９ａは上側本体部２１の形状に合わせて平面視が上側本体部２１よりもやや大きい非点対称な相似形状として形成される。一方、開口９ａは下側本体部２２を通過できない形状及び大きさとなっている。そのため押釦スイッチ１１が機器に組み込まれる際には、筐体９の開口９ａから上側本体部２１のみが外部に露出する。この際、下側本体部２２の上面が筐体９の下面と当接するようにしてもよい。これにより高さ方向における上側本体部２１の位置合わせをすることができ、複数の押圧操作部２が設けられる態様である場合には押圧操作部２間で筐体９から突出した部分の高さを統一することが容易となる。
【００３８】
キーシート［図１、図２］
キーシート１はゴム状弾性体で形成され、１つ以上の押圧操作部２を有するシート状の部材である。
【００３９】
キーシート１は、キー入力の際に押圧操作されるキートップ部となる押圧操作部２と、押圧操作部２の下部に連続して形成され押圧操作部２を浮動支持する環状の弾性変形可能なスカート部４と、スカート部４の下部に連続して設けられスカート部４を支持する平板状のベース部５と、押圧操作部２の裏面側に導電性を有する金属やカーボンインク塗膜よりなる可動接点６を備えている。
【００４０】
キーシート１を構成するゴム状弾性体として、合成ゴムや熱可塑性エラストマー（ＴＰＥ）を用いることができ、例えばシリコーンゴム、ウレタンゴム、フッ素ゴム、ニトリルゴム、エチレンプロピレンゴム、スチレン系ＴＰＥ、オレフィン系ＴＰＥ、ウレタン系ＴＰＥ、ポリエステル系ＴＰＥ等が挙げられる。これらの中でも低温や高温下でも硬度変化が少なく、耐久性があり、圧縮永久歪みが小さいことからシリコーンゴムが多く用いられている。
【００４１】
押圧操作部２は、平面視が非点対称形状である上側本体部２１と平面視が点対称形状である下側本体部２２とを有している。本実施形態においては上側本体部２１と下側本体部２２は、スカート部４及びベース部５とを含め一体成形品として形成されているが、本発明においてはこれに限らず、上側本体部２１と下側本体部２２とを別体として形成した後接着して一体化する態様としてもよい。この場合下側本体部２２はスカート部及びベース部と一体成形品として形成されている。なお、本実施形態の説明において押圧操作部２の平面視における形状というときは押圧操作部２の上側本体部２１の平面視における形状をいうものとする。
【００４２】
上側本体部２１の上面はキーシート１が装置に取り付けられた際には操作面２１１として筐体９の開口９ａから外部に露出する。上側本体部２１は、操作面２１１が下側本体部２２の上面２２１に垂直に投影された立体形状を有している。同様に下側本体部２２は、上面２２１がスカート部４に垂直に投影された立体形状を有している。上側本体部２１の操作面２１１と下側本体部２２の上面２２１は異形状となっている。
【００４３】
本実施形態において上側本体部２１は平面視が非点対称な三角形状であり、下側本体部２２は平面視が点対称な矩形である。下側本体部２２の平面視における角部分は丸みを帯びて構成されている。下側本体部２２は上側本体部２１よりも大きく形成されていて、下側本体部２２の上面から上側本体部２１が突出して一体的に形成されている。押圧操作部２は内部までゴム状弾性体が充填されて稠密に形成されている。
【００４４】
スカート部４は下側本体部２２の下側に連続して形成された弾性変形可能な膜状の構成であり、下側に向かうに従い広がるように形成されている。スカート部４は平面視が下側本体部２２の平面視における形状と相似した点対称形状である。そのためスカート部４の平面視における形状は本実施形態においては矩形となっている。スカート部４の矩形の角部分は丸みを帯びて構成されている。スカート部４はその全周に亘り一定の厚さを有している。
【００４５】
押圧操作部２の裏側には導電性を有する金属よりなる可動接点６が設けられている。可動接点６の材質として、導電性が高く腐食し難い金属を用いることができる。このような金属としては、例えば、金、銀、銅、鉄、アルミニウム、ニッケル、またはこれらを含む合金などが挙げられる。また可動接点６をカーボンインク塗膜により形成してもよい。
【００４６】
また、可動接点６を、これら以外の金属でなるベース板の表面に腐蝕し難い金、ニッケル、亜鉛などのメッキ膜を施した金属片とすることもできる。ベース板とメッキ膜の構成としては、低コストで耐腐食性を有し、高い導電性を実現できることから、ベース板を銅合金である洋白で形成し、メッキ膜を金で形成したものが好ましい。
【００４７】
可動接点６の厚みとしては１０μｍ〜１００μｍが好ましい。これは回路接点８との間に絶縁性異物が挟まれた際に、１０μｍ未満の金属片では撓み変形し易いが撓み変形後の復帰力が弱く、１００μｍを超える金属片では撓み変形し難くなるからである。
【００４８】
ベース板にメッキ膜を施して可動接点６を形成する場合のメッキ膜の厚みとしては、０．１μｍ〜１０μｍが好ましい。これは、０．１μｍ未満では均一にメッキ膜を施すことが難しく、また押釦スイッチを繰り返し押圧操作しているとメッキ膜が摩耗してベース板が露出し可動接点６の表面が腐蝕してしまうからである。また１０μｍを超えるとメッキ膜の剛性が高まり金属片が撓み変形し難くなると共に、メッキ膜を形成する費用も高くなってしまうからである。
【００４９】
回路基板［図３］
回路基板７としては、ポリエチレンテレフタレートフィルム、ポリエチレンナフタレートフィルム、ポリイミドフィルムを基材としたフレキシブル回路基板や、ガラスエポキシやガラスコンポジット基材としたリジット回路基板などに、圧延された銅箔が貼り付けられており、その銅箔を所望の回路パターンとなるようにエッチング処理されたものが用いられている。
【００５０】
回路接点８は、導電性を有する金属でなり、櫛目状のパターンが向き合った接点形状や、同心円状に設けられた接点形状に形成される。この回路接点８の表面には腐食を防ぐため、金メッキ膜やカーボンインクによる導電層などの保護層が設けられている。本実施形態においては回路基板７上に２つの回路接点８が設けられている。
【００５１】
押圧操作部２が押圧されると押圧操作部２の裏面側の可動接点６が回路基板７上の回路接点８と接触し、スイッチのオン又はオフが行われる。押釦スイッチ１１の押圧操作部２の押下時には、スカート部４が座屈することで操作者の指にクリック感が伝わり、操作感を得ることができる。
【００５２】
キーシート及び押釦スイッチによる効果
上述した構成を有するキーシート１及び押釦スイッチ１１は、機器の筐体９から露出する押圧操作部２の上側本体部２１の形状が平面視で非点対称な形状である一方、下側本体部２２及びこれに連続するスカート部４の形状が平面視で点対称な形状となっている。
【００５３】
スカート部４の形状が点対称な図形であることから、スカート部４の厚さを部位に応じて変えなくとも座屈のし易さにむらが生じることがなく、座屈のし易さを均一にすることができる。
【００５４】
またスカート部４の厚さを部位に応じて変える必要が無いことから、厚みが薄く耐久性が低い箇所が形成されず、スカート部４の全体に亘り均一な耐久性を付与することができる。
【００５５】
また、下側本体部２２の平面視における角部分を丸みを帯びた形状とすることで、下側本体部２２に連続して形成されるスカート部４の平面視における角部分も丸みを帯びて形成することができる。そしてスカート部４の平面視における角部分が丸みを帯びていることにより、角部分が角張っている場合と比較してスカート部４が座屈しやすくなるため、押圧操作部２の押下をスムーズに行うことができる。
【００５６】
更に、スカート部４の座屈のし易さがスカート部４の全周に亘り均一であることから、押圧操作部２の押下時に押圧操作部２が斜め押しされることを効果的に防止することができる。
【００５７】
押圧操作部２の斜め押しが防止されることで、例えば筐体９内に押下された押圧操作部２が筐体９内の他の構成と接触しそこに係止してしまい、筐体９内から当初の位置に戻らなくなるといった不具合の発生を防止することができる。また、上述した実施形態に係る押釦スイッチ１１のように、回路接点８が複数形成されている場合にも、可動接点６が複数の回路接点８と確実に接触することが可能となる。
【００５８】
変形例［図４、図５、図６］
上述した実施形態に係るキーシート１及び押釦スイッチ１１では、押圧操作部２の下側本体部２２及びスカート部４の平面視における形状が矩形であった。しかし、本発明ではこれに限らず、平面視で鋭角な角部を有する形状を除く点対称の形状であれば他の形状も採用することができる。
【００５９】
例えば図４の分図（Ａ）に示すように、平面視が円形の下側本体部２２ａ及びスカート部４１ａとすることができる。また、図４の分図（Ｂ）に示すように、平面視が楕円形の下側本体部２２ｂ及びスカート部４１ｂとすることができる。更に、図４の分図（Ｃ）に示すように、平面視が八角形で角部が丸みを帯びて形成されている下側本体部２２ｃ及びスカート部４１ｃとすることができる。これら以外にも、正方形、正六角形等の多角形や長円形等、平面視が点対称形である任意の形状を採用することができる。これらのスカート部４１ａ、４１ｂ、４１ｃの厚さは上述した実施形態と同様に全周に亘り均一となっている。なお、平行四辺形や菱形は点対称形状であるが、鋭角な角部を有する形状であるため、下側本体部２２ａには用いない。
【００６０】
図４の態様において、上側本体部２１ａ、２１ｂ、２１ｃは何れも上述した実施形態と同様の形状を有するものである。上側本体部２１ａ、２１ｂ、２１ｃの上面はそれぞれ操作面２１１ａ、２１１ｂ、２１１ｃとして機能し、下側本体部２２ａ、２２ｂ、２２ｃの上面２２１ａ、２２１ｂ、２２１ｃとは異形状となっている。
【００６１】
また、上述した実施形態に係る押釦スイッチ１１では、押圧操作部２の上側本体部２１が三角形状であった。しかし、本発明ではこれに限らず、平面視が非点対称の形状、または鋭角な角部を有する他の形状も採用することができる。
【００６２】
例えば図５の分図（Ａ）に示すように、平面視がＬ字形状の上側本体部２１ｄとすることができる。また、図５の分図（Ｂ）に示すように、平面視が星形の上側本体部２１ｅとすることができる。これらの形状以外にも、台形、凧形、扇形、半円型、三日月型その他の非点対称な多角形等を採用することができる。また非点対称な図形を構成する角は鋭角でも鈍角でもよく、辺も直線に限らず曲線としてもよい。
【００６３】
この図５の態様において、上側本体部２１ｄ、２１ｅの形状以外は上述した実施形態に係る押釦スイッチ１１の各構成と同様の構成を備えている。すなわち、上側本体部２１ｄ、２１ｅは平面視で非点対称な形状であり、下側本体部２２ｄ、２２ｅ及びスカート部４は平面視で点対称な形状となっている。上側本体部２１ｄ、２１ｅの上面２１１ｄ、２１１ｅはそれぞれ筐体９の外部に露出する操作面２１１ｄ、２１１ｅとして機能し、下側本体部２２ｄ、２２ｅの上面２２１ｄ、２２１ｅとは異形状となっている。
【００６４】
また、図６に示すように、キーシート１ｆの上側本体部２１ｆと下側本体部２２ｆとが平面で連続する連続部２５を有する態様としてもよい。
【００６５】
上側本体部２１ｆと下側本体部２２ｆとが平面で連続する連続部２５を有することで、上側本体部２１ｆを形成するのに必要な下側本体部２２ｆの上面の面積を削減することができ、下側本体部２２ｆ上の限られたスペースにおいて上側本体部２１ｆを大きく形成することができる。
【００６６】
これらの変形例に係る態様によっても、上述した実施形態に係る押釦スイッチ１１と同様に、各スカート部４、４１ａ、４１ｂ、４１ｃの平面視における形状が点対称な図形であることから、スカート部４、４１ａ、４１ｂ、４１ｃの全体に亘り均一の厚さであっても座屈のし易さにむらが生じることがなく、座屈のし易さを均一にすることができる。
【００６７】
また、スカート部４、４１ａ、４１ｂ、４１ｃの厚さを部位に応じて変える必要が無いことから、厚みが薄く耐久性が低い箇所が形成されず、スカート部４、４１ａ、４１ｂ、４１ｃの全体に亘り均一な耐久性を付与することができる。
【００６８】
そして、スカート部４、４１ａ、４１ｂ、４１ｃの平面視における角部分が丸みを帯びていることにより、角部分が角張っている形状と比較してスカート部４、４１ａ、４１ｂ、４１ｃが座屈しやすくなり、押圧操作部２の押下をスムーズに行うことができる。
【００６９】
更に、スカート部４、４１ａ、４１ｂ、４１ｃの座屈のし易さが全周に亘り均一であることから、押圧操作部２の押下時に押圧操作部２が斜め押しされることを効果的に防止することができる。
【符号の説明】
【００７０】
１、１ａ、１ｂ、１ｃ、１ｄ、１ｅ、１ｆ、１０      キーシート
２、２０      押圧操作部
４、４０、４１ａ、４１ｂ、４１ｃ      スカート部
５、５０      ベース部
６、６０      可動接点
７、７０      回路基板
８、８０      回路接点
９、９０      筐体
９ａ、９０ａ      開口
１１、１００      押釦スイッチ
２１、２１ａ、２１ｂ、２１ｃ、２１ｄ、２１ｅ、２１ｆ      上側本体部
２２、２２ａ、２２ｂ、２２ｃ、２２ｄ、２２ｅ、２２ｆ      下側本体部
２５      連続部
２０１、２１１、２１１ａ、２１１ｂ      操作面
２１１ｃ、２１１ｄ、２１１ｅ、２１１ｆ      操作面
２２１、２２１ａ、２２１ｂ、２２１ｃ      上面
２２１ｄ、２２１ｅ、２２１ｆ      上面
【図１】
2017212115.tif 000003
【図２】
2017212115.tif 000004
【図３】
2017212115.tif 000005
【図４】
2017212115.tif 000006
【図５】
2017212115.tif 000007
【図６】
2017212115.tif 000008
【図７】
2017212115.tif 000009
【図８】
2017212115.tif 000010
【図９】
2017212115.tif 000011